【手続補正書】
【提出日】平成19年4月10日(2007.4.10)
【手続補正１】
【補正対象書類名】明細書
【補正対象項目名】特許請求の範囲
【補正方法】変更
【補正の内容】
【特許請求の範囲】
【請求項１】
セルロース反応性サイズ剤；
リグノスルホン酸ナトリウムであって、該リグノスルホン酸ナトリウムの全重量を基準として約５．９重量％未満の該スルホン酸塩の硫黄を有するリグノスルホン酸ナトリウムと、カチオン性分散剤及び非イオン性分散剤の少なくとも１種とを含む分散剤系；及び
少なくとも１種の金属元素を含む少なくとも１種の塩；
を含む水性組成物。
【請求項２】
セルロース反応性サイズ剤；
アニオン性分散剤と、カチオン性分散剤及び非イオン性分散剤の少なくとも１種とを含む分散剤系；及び
少なくとも１種の金属元素を含む少なくとも１種の塩；
を含む水性組成物であって、
該塩が、セルロース反応性サイズ剤の重量を基準として、約５．５重量％のアルミニウム以上の量で少なくとも１つの金属元素が存在するような量で存在する、前記の水性組成物。
【請求項３】
該セルロース反応性サイズ剤が、ケテンダイマー及びケテンマルチマーの少なくとも１種を含む、請求項２に記載の組成物。
【請求項４】
ケテンダイマーまたはケテンマルチマーが式Ｉ
【化１】
2004511680.tif 000001
（式中、ｎは０〜約２０の整数であり、Ｒ及びＲ２は同じか又は異なり、約６〜約２４の炭素原子を有する飽和又は不飽和のヒドロカルビル基であり、そしてＲ１は約２〜約４０の炭素原子を有する飽和又は不飽和のヒドロカルビル基である）の化合物を含む、請求項３に記載の組成物。
【請求項５】
アニオン性分散剤がサルフェート又はスルホネートを含むポリマー分散剤を含む、請求項２に記載の組成物。
【請求項６】
ケテンダイマー及びケテンマルチマーの少なくとも１種；
疎水性リグノスルホン酸ナトリウム及びカチオン性変性澱粉を含む分散剤系；並びに
硫酸アルミニウム；
を含む水性組成物。
【請求項７】
セルロース反応性サイズ剤；
アニオン性分散剤と、カチオン性分散剤及び非イオン性分散剤の少なくとも１種とを含む分散剤系；及び
少なくとも１種の金属元素を含む少なくとも１種の塩；
を組み合わせることによって製造される、紙製品をサイズ処理するための水性組成物であって、
該塩が、セルロース反応性サイズ剤の重量を基準として、５．５重量％のアルミニウム以上の量で少なくとも１つの金属元素が存在するような量で存在する、前記の組成物。
【請求項８】
セルロース反応性サイズ剤；
アニオン性分散剤と、カチオン性分散剤及び非イオン性分散剤の少なくとも１種とを含む分散剤系；及び
少なくとも１種の金属元素を含む少なくとも１種の塩；
をセルロース材料に添加することを含む、セルロース系製品をサイズ処理する方法であって、
該塩が、セルロース反応性サイズ剤の重量を基準として、５．５重量％のアルミニウム以上の量で少なくとも１つの金属元素が存在するような量で存在する、前記の方法。
【請求項９】
セルロース系製品をサイズ処理するためのキットであって、該キットが、
セルロース反応性サイズ剤；
アニオン性分散剤と、カチオン性分散剤及び非イオン性分散剤の少なくとも１種とを含む分散剤系；及び
少なくとも１種の金属元素を含む少なくとも１種の塩；
を含み、
該塩が、セルロース反応性サイズ剤の重量を基準として、５．５重量％のアルミニウム以上の量で少なくとも１つの金属元素が存在するような量で存在する、前記のキット。
【手続補正２】
【補正対象書類名】明細書
【補正対象項目名】００９３
【補正方法】変更
【補正の内容】
【００９３】
以上の説明から、本技術の当業者は容易に、本発明の本質的な特徴を理解でき、そして本発明の精神及び範囲から逸脱することなく、それを種々の用法及び条件に適合させるために種々の変更及び修正を行うことができる。
[本発明の態様]
１．セルロース反応性サイズ剤；
リグノスルホン酸ナトリウムであって、該リグノスルホン酸ナトリウムの全重量を基準として約５．９重量％未満の該スルホン酸塩の硫黄を有するリグノスルホン酸ナトリウムと、カチオン性分散剤及び非イオン性分散剤の少なくとも１種とを含む分散剤系；及び
少なくとも１種の金属元素を含む少なくとも１種の塩；
を含む水性組成物。
２．リグノスルホン酸ナトリウムが、リグノスルホン酸ナトリウムの全重量を基準として約５重量％未満のスルホン酸塩の硫黄を含む、１に記載の組成物。
３．リグノスルホン酸ナトリウムが、リグノスルホン酸ナトリウムの全重量を基準として約４．５重量％未満のスルホン酸塩の硫黄を含む、２に記載の組成物。
４．リグノスルホン酸ナトリウムが、リグノスルホン酸ナトリウムの全重量を基準として約４重量％未満のスルホン酸塩の硫黄を含む、３に記載の組成物。
５．リグノスルホン酸ナトリウムが、リグノスルホン酸ナトリウムの全重量を基準として約３．６重量％未満のスルホン酸塩の硫黄を含む、４に記載の組成物。
６．該塩が、セルロース反応性サイズ剤の重量を基準として、約０．２重量％のアルミニウム以上の量で少なくとも１つの金属元素が存在するような量で存在する、１に記載の組成物。
７．該塩が、セルロース反応性サイズ剤の重量を基準として、約０．４重量％のアルミニウム以上の量で少なくとも１つの金属元素が存在するような量で存在する、６に記載の組成物。
８．該塩が、セルロース反応性サイズ剤の重量を基準として、約１．５重量％のアルミニウム以上の量で少なくとも１つの金属元素が存在するような量で存在する、７に記載の組成物。
９．該塩が、セルロース反応性サイズ剤の重量を基準として、約３重量％のアルミニウム以上の量で少なくとも１つの金属元素が存在するような量で存在する、８に記載の組成物。
１０．該塩が、セルロース反応性サイズ剤の重量を基準として、約４．４重量％のアルミニウム以上の量で少なくとも１つの金属元素が存在するような量で存在する、９に記載の組成物。
１１．該塩が、セルロース反応性サイズ剤の重量を基準として、約５．５重量％のアルミニウム以上の量で少なくとも１つの金属元素が存在するような量で存在する、１０に記載の組成物。
１２．該塩が、セルロース反応性サイズ剤の重量を基準として、約６重量％のアルミニウム以上の量で少なくとも１つの金属元素が存在するような量で存在する、１１に記載の組成物。
１３．該塩が、セルロース反応性サイズ剤の重量を基準として、約４０重量％のアルミニウム以下の量で少なくとも１つの金属元素が存在するような量で存在する、１に記載の組成物。
１４．該塩が、セルロース反応性サイズ剤の重量を基準として、約３０重量％のアルミニウム以下の量で少なくとも１つの金属元素が存在するような量で存在する、１３に記載の組成物。
１５．該塩が、セルロース反応性サイズ剤の重量を基準として、約２０重量％のアルミニウム以下の量で少なくとも１つの金属元素が存在するような量で存在する、１４に記載の組成物。
１６．該塩が、セルロース反応性サイズ剤の重量を基準として、約１５重量％のアルミニウム以下の量で少なくとも１つの金属元素が存在するような量で存在する、１５に記載の組成物。
１７．該塩が、セルロース反応性サイズ剤の重量を基準として、約１２重量％のアルミニウム以下の量で少なくとも１つの金属元素が存在するような量で存在する、１６に記載の組成物。
１８．該塩が、セルロース反応性サイズ剤の重量を基準として、約１０重量％のアルミニウム以下の量で少なくとも１つの金属元素が存在するような量で存在する、１７に記載の組成物。
１９．該塩が、セルロース反応性サイズ剤の重量を基準として、約８重量％のアルミニウム以下の量で少なくとも１つの金属元素が存在するような量で存在する、１８に記載の組成物。
２０．該塩が、セルロース反応性サイズ剤の重量を基準として、約０．２重量％〜約４０重量％のアルミニウムに等しい量で少なくとも１つの金属元素が存在するような量で存在する、４に記載の組成物。
２１．該塩が、セルロース反応性サイズ剤の重量を基準として、約０．４重量％〜約３０重量％のアルミニウムに等しい量で少なくとも１つの金属元素が存在するような量で存在する、２０に記載の組成物。
２２．該塩が、セルロース反応性サイズ剤の重量を基準として、約１．５重量％〜約２０重量％のアルミニウムに等しい量で少なくとも１つの金属元素が存在するような量で存在する、２１に記載の組成物。
２３．該塩が、セルロース反応性サイズ剤の重量を基準として、約３重量％〜約１５重量％のアルミニウムに等しい量で少なくとも１つの金属元素が存在するような量で存在する、２２に記載の組成物。
２４．該塩が、セルロース反応性サイズ剤の重量を基準として、約４．４重量％〜約１２重量％のアルミニウムに等しい量で少なくとも１つの金属元素が存在するような量で存在する、２３に記載の組成物。
２５．該塩が、セルロース反応性サイズ剤の重量を基準として、約５．５重量％〜約１０重量％のアルミニウムに等しい量で少なくとも１つの金属元素が存在するような量で存在する、２４に記載の組成物。
２６．該塩が、セルロース反応性サイズ剤の重量を基準として、約６重量％〜約８重量％のアルミニウムに等しい量で少なくとも１つの金属元素が存在するような量で存在する、２５に記載の組成物。
２７．セルロース反応性サイズ剤；
アニオン性分散剤と、カチオン性分散剤及び非イオン性分散剤の少なくとも１種とを含む分散剤系；及び
少なくとも１種の金属元素を含む少なくとも１種の塩；
を含む水性組成物であって、
該塩が、セルロース反応性サイズ剤の重量を基準として、約５．５重量％のアルミニウム以上の量で少なくとも１つの金属元素が存在するような量で存在する、前記の水性組成物。
２８．該セルロース反応性サイズ剤が、ケテンダイマー及びケテンマルチマーの少なくとも１種を含む、２７に記載の組成物。
２９．ケテンダイマーがアルケニルケテンダイマー及びアルキルケテンダイマーの少なくとも１種を含む、２８に記載の組成物。
３０．セルロース反応性サイズ剤がアルケニルコハク酸無水物及び無水ステアリン酸の少なくとも１種を含む、２７に記載の組成物。
３１．セルロース反応性サイズ剤が、約１２〜約２２の炭素原子を含む有機エポキシド、約１２〜約２２の炭素原子を含むアシルハライド、約１２〜約２２の炭素原子を含む脂肪酸からの無水脂肪酸、又は約１２〜約２２の炭素原子を含む有機イソシアネートを含む、２７に記載の組成物。
３２．ケテンダイマーまたはケテンマルチマーが式Ｉ
【化５】
2004511680.tif 000002
（式中、ｎは０〜約２０の整数であり、Ｒ及びＲ２は同じか又は異なり、約６〜約２４の炭素原子を有する飽和又は不飽和のヒドロカルビル基であり、そしてＲ１は約２〜約４０の炭素原子を有する飽和又は不飽和のヒドロカルビル基である）の化合物を含む、２８に記載の組成物。
３３．ｎが０〜約６である、３２に記載の組成物。
３４．ｎが０〜約３である、３３に記載の組成物。
３５．ｎが０である、３４に記載の組成物。
３６．Ｒが約１０〜２０の炭素原子を有する飽和又は不飽和ヒドロカルビル基である、３２に記載の組成物。
３７．Ｒが約１４〜１６の炭素原子を有する飽和又は不飽和ヒドロカルビル基である、３６に記載の組成物。
３８．Ｒ２が約１０〜２０の炭素原子を有する飽和又は不飽和ヒドロカルビル基である、３２に記載の組成物。
３９．Ｒ２が約１４〜１６の炭素原子を有する飽和又は不飽和ヒドロカルビル基である、３８に記載の組成物。
４０．Ｒ１が約４〜２０の炭素原子を有する飽和又は不飽和ヒドロカルビル基である、３２に記載の組成物。
４１．アニオン性分散剤がサルフェート又はスルホネートを含むポリマー分散剤を含む、２７に記載の組成物。
４２．アニオン性分散剤が、ナフタレンスルホン酸ナトリウムのホルムアルデヒド縮合物、アルキルナフタレンスルホン酸ナトリウムのホルムアルデヒド縮合物、フェノールスルホン酸ナトリウムのホルムアルデヒド縮合物、フェノール硫酸ナトリウムのホルムアルデヒド縮合物、及びリグノスルホネートを含む、２７に記載の組成物。
４３．リグノスルホネートが疎水性リグノスルホネートを含む、４２に記載の組成物。
４４．疎水性リグノスルホネートが、リグノスルホン酸ナトリウムの全重量を基準として約５．９重量％未満のスルホネートの硫黄を有する疎水性リグノスルホン酸ナトリウムを含む、４３に記載の組成物。
４５．疎水性リグノスルホン酸ナトリウムが、リグノスルホン酸ナトリウムの全重量を基準として約５重量％未満のスルホネートの硫黄を有する疎水性リグノスルホン酸ナトリウムを含む、４４に記載の組成物。
４６．疎水性リグノスルホン酸ナトリウムが、リグノスルホン酸ナトリウムの全重量を基準として約４．５重量％未満のスルホネートの硫黄を有する疎水性リグノスルホン酸ナトリウムを含む、４５に記載の組成物。
４７．疎水性リグノスルホン酸ナトリウムが、リグノスルホン酸ナトリウムの全重量を基準として約４重量％未満のスルホネートの硫黄を有する疎水性リグノスルホン酸ナトリウムを含む、４６に記載の組成物。
４８．疎水性リグノスルホン酸ナトリウムが、リグノスルホン酸ナトリウムの全重量を基準として約３．６重量％未満のスルホネートの硫黄を有する疎水性リグノスルホン酸ナトリウムを含む、４７に記載の組成物。
４９．アニオン性分散剤が、セルロース反応性サイズ剤の重量の約０．０２〜約２０重量％の量で存在する、２７に記載の組成物。
５０．アニオン性分散剤が、セルロース反応性サイズ剤の重量の約０．４〜約７重量％の量で存在する、４９に記載の組成物。
５１．アニオン性分散剤が、セルロース反応性サイズ剤の重量の約０．９〜約３重量％の量で存在する、５０に記載の組成物。
５２．カチオン性分散剤及び非イオン性分散剤の少なくとも１種がカチオン性分散剤を含む、２７に記載の組成物。
５３．カチオン性分散剤がカチオン性変性澱粉、カチオン性変性グアー、又は低荷電カチオン性ポリマーを含む、５２に記載の組成物。
５４．カチオン性変性澱粉を、セルロース反応性サイズ剤の重量の約０．４〜約４００重量％の量で含む、５３に記載の組成物。
５５．カチオン性変性澱粉を、セルロース反応性サイズ剤の重量の約２〜約１００重量％の量で含む、５４に記載の組成物。
５６．カチオン性変性澱粉を、セルロース反応性サイズ剤の重量の約１０〜約３０重量％の量で含む、５５に記載の組成物。
５７．カチオン性分散剤及び非イオン性分散剤の少なくとも１種が非イオン性分散剤を含む、２７に記載の組成物。
５８．該塩が、周期表のＩ，ＩＩ，ＩＩＩ，ＩＶ，Ｖ族、及び遷移元素の少なくとも１種の金属を含む、２７に記載の組成物。
５９．該塩がアルミニウム、マグネシウム、カルシウム及びバリウムの少なくとも１種を含む、５８に記載の組成物。
６０．該塩が、式Ａｌｘ（ＳＯ４）ｙ（Ｈ２Ｏ）Ｚ（式中、ｘは１〜３、ｙは１〜４、そしてｚは０〜２０である）のアルミニウム塩を含む、５９に記載の組成物。
６１．アルミニウム塩が硫酸アルミニウムである、６０に記載の組成物。
６２．該塩が、式Ａｌｎ（ＯＨ）ｍＸ３ｎ−ｍ（式中、Ｘは負のイオンであり、ｎ及びｍは０より大きい整数であり、そして３ｎ−ｍは０より大きい）のアルミニウム塩を含む、５９に記載の組成物。
６３．負のイオンが塩素イオン又は酢酸イオンを含む、６２に記載の組成物。
６４．アルミニウム塩が塩化ポリアルミニウムを含む、６３に記載の組成物。
６５．該塩が、セルロース反応性サイズ剤の重量を基準として、約５．５重量％〜約１０重量％のアルミニウムに等しい量で少なくとも１つの金属元素が存在するような量で存在する、２７に記載の組成物。
６６．該塩が、セルロース反応性サイズ剤の重量を基準として、約６重量％〜約８重量％のアルミニウムに等しい量で少なくとも１つの金属元素が存在するような量で存在する、６５に記載の組成物。
６７．ケテンダイマー及びケテンマルチマーの少なくとも１種；
疎水性リグノスルホン酸ナトリウム及びカチオン性変性澱粉を含む分散剤系；並びに
硫酸アルミニウム；
を含む水性組成物。
６８．セルロース反応性サイズ剤；
アニオン性分散剤と、カチオン性分散剤及び非イオン性分散剤の少なくとも１種とを含む分散剤系；及び
少なくとも１種の金属元素を含む少なくとも１種の塩；
を組み合わせることによって製造される、紙製品をサイズ処理するための水性組成物であって、
該塩が、セルロース反応性サイズ剤の重量を基準として、５．５重量％のアルミニウム以上の量で少なくとも１つの金属元素が存在するような量で存在する、前記の組成物。
６９．セルロース反応性サイズ剤；
アニオン性分散剤と、カチオン性分散剤及び非イオン性分散剤の少なくとも１種とを含む分散剤系；及び
少なくとも１種の金属元素を含む少なくとも１種の塩；
をセルロース材料に添加することを含む、セルロース系製品をサイズ処理する方法であって、
該塩が、セルロース反応性サイズ剤の重量を基準として、５．５重量％のアルミニウム以上の量で少なくとも１つの金属元素が存在するような量で存在する、
前記の方法。
７０．セルロース材料がパルプを含む、６９に記載の方法。
７１．セルロース材料が紙製品の表面を含む、６９に記載の方法。
７２．セルロース系製品をサイズ処理するためのキットであって、該キットが、
セルロース反応性サイズ剤；
アニオン性分散剤と、カチオン性分散剤及び非イオン性分散剤の少なくとも１種とを含む分散剤系；及び
少なくとも１種の金属元素を含む少なくとも１種の塩；
を含み、
該塩が、セルロース反応性サイズ剤の重量を基準として、５．５重量％のアルミニウム以上の量で少なくとも１つの金属元素が存在するような量で存在する、前記のキット。